(57)【要約】【課題】寝巻きや部屋着に求められる機能を損なうことなく、外出着として着用してもおかしくない外観を実現できるような衣服を提供する。【解決手段】衣服１００は、上衣１とズボン２を有し、上衣１が、着用者の腹部から腰部の少なくとも一部分を覆う腹当て部１１と、腹当て部１１に覆い被さるカバー部１２と、を備える。【選択図】図１
2017145534.tif 000002
【特許請求の範囲】
【請求項１】
上衣とズボンを有する衣服であって、
前記上衣が、
着用者の腹部から腰部の少なくとも一部分を覆う腹当て部と、
前記腹当て部に覆い被さるカバー部と、
を備える衣服。
【請求項２】
請求項１に記載の衣服であって、
前記腹当て部および前記カバー部が、二枚の布が重なり合うことにより形成されている、
衣服。
【請求項３】
請求項２に記載の衣服であって、
前記カバー部の幅寸法が、前記腹当て部の幅寸法よりも大きく、
前記カバー部の上端が、幅方向に沿って布が寄せ縮められた状態となっている、
衣服。
【請求項４】
請求項３に記載の衣服であって、
前記幅方向に沿って布が寄せ縮められた状態の部分が、着用者の身体の背面を覆う部分の左右両側に寄せて配置されている、
衣服。
【請求項５】
請求項３または４に記載の衣服であって、
前記カバー部の上端が、着用者のみぞおちよりも下に配置される、
衣服。
【請求項６】
請求項５に記載の衣服であって、
前記上衣における、着用者のみぞおちよりも上側を覆う部分に裏地が配設され、前記みぞおちよりも下側を覆う部分であって前記カバー部の上端よりも上側の部分には裏地が配設されない、
衣服。
【請求項７】
請求項３から６のいずれかに記載の衣服であって、
前記カバー部の下端が、着用者の脚の付け根の近傍に配置される、
衣服。
【請求項８】
請求項２から７のいずれかに記載の衣服であって、
前記カバー部に、スリットが形成されている、
衣服。
【請求項９】
請求項１に記載の衣服であって、
前記カバー部の下側に前記腹当て部が連なっており、
前記カバー部の幅寸法が、前記腹当て部の幅寸法よりも大きく、
前記カバー部の下端が、幅方向に沿って布が寄せ縮められた状態となっている、
衣服。
【請求項１０】
請求項１から９のいずれかに記載の衣服であって、
前記ズボンの裾部分に、脚の延在方向に沿って布を寄せ縮めた状態で着用する部分が形成されている、
衣服。
【請求項１１】
請求項１から１０のいずれかに記載の衣服であって、
縫い目が、着用者の身体の正面を覆う部分に配置されている、
衣服。
【請求項１２】
請求項１から１１のいずれかに記載の衣服であって、
前記ズボンの裾口であって、着用者の身体の背面を覆う部分だけに形成されたリブ状の部分、
を備える、衣服。
【請求項１３】
請求項１から１２のいずれかに記載の衣服であって、
前記ズボンの裾口および前記上衣の袖口のうちの少なくとも一方に形成されたリブ状の部分と、
前記リブ状の部分に覆い被さる非リブ状の部分と、
を備える、衣服。
【発明の詳細な説明】
【技術分野】
【０００１】
本発明は、衣服（特に、就寝時に着用する寝巻きとして、また、屋内で着用する部屋着として、好適に用いられる衣服）に関する。
【背景技術】
【０００２】
寝巻きや部屋着として、上衣と下衣（ズボン）のセットからなるパジャマタイプの衣服が広く一般に用いられている。
【０００３】
この類の衣服においては、上衣における肩幅や身幅、ズボンにおける腰囲等が、着用者の実際の身体のサイズよりも大きいものとされることによって、身体を締め付けないゆったり感をもたせているものが多い。また、着用者の腰回りをきつく締め付けないように、ズボンのウエスト部分がゴム留めになっていることも多い。また、腹部を冷やさないように上着の裾をズボンに入れて着用することを可能とするべく、上衣における着丈が長めの寸法とされることも多い。
【０００４】
ところが、上衣やズボンを身体のサイズよりも大きくすると、就寝時の寝返りによって上衣やズボンの布が引っ張られ、不快に感じたり、目が覚めたりする。また、身体のサイズよりも大きな上衣をズボンに入れると、ズボンの腰回りが膨らんでしまい、着心地や寝心地が悪くなってしまう。このような事態を回避するべく、上衣の裾部分の幅寸法をその上側部分の幅寸法よりも小さく形成したパジャマが提案されている（特許文献１）。この構成によると、上衣の裾をズボンに入れて着用しても、ズボンの腰回りが膨らみにくく、良好な着心地および寝心地が確保される。
【先行技術文献】
【特許文献】
【０００５】
【特許文献１】実用新案登録第３１９５８４４号公報
【発明の概要】
【発明が解決しようとする課題】
【０００６】
ところで、近年、近所等へのちょっとした外出の際にわざわざ外出着に着替えなくてもすむような寝巻きや部屋着（すなわち、ちょっとした外出に着用してもおかしくないような外観の寝巻きや部屋着）を求める声が多い。
【０００７】
しかしながら、この要求に応えようとすると、寝巻きや部屋着として求められる機能が損なわれてしまうことが多い。例えば、上衣の着丈を短くすれば、外出着としての外観の良さは高まるが、寝巻きや部屋着に求められる機能の１つである腹部周りのあたたかさが損なわれてしまう。
【０００８】
特許文献１に記載の衣服では、上衣の裾をズボンに入れて着用することができ、さらにこのときにズボンの腰回りが膨らみにくいため、腹部周りのあたたかさを保ちつつ、ある程度の外観の良さを実現できる。しかしながら、ウエスト部分がゴム留めのズボンに上衣の裾を入れるという着方は、一般的な外出着ではあまりしないので、この衣服を外出着として着用するのにはまだ抵抗を感じる人が多い。
【０００９】
本発明が解決しようとする課題は、良好な寝心地や着心地といった寝巻きや部屋着に求められる機能を損なうことなく、外出着として着用してもおかしくない外観を実現できるような衣服を提供することである。
【課題を解決するための手段】
【００１０】
上記課題を解決するために成された本発明は、
上衣とズボンを有する衣服であって、
前記上衣が、
着用者の腹部から腰部の少なくとも一部分を覆う腹当て部と、
前記腹当て部に覆い被さるカバー部と、
を備える。
【００１１】
この構成に係る衣服においては、上衣の腹当て部をズボンの中に入れるとともにカバー部をズボンの外に出すようにして着用する（つまり、腹当て部とカバー部との間にズボンのウエスト部分を入れるように着用する）ことができる。このように着用すれば、上衣の腹当て部がズボンの中に入っているので、あたたかい（保温性が高い）。また、ズボンの中に腹当て部が入っている状態の部分がカバー部で覆い隠されるので、外からは、上衣の裾をズボンの外に出して着用しているように見える。これは、外出着の一般的な着用態様であるため、この格好で外出してもおかしくない。このように、この構成に係る衣服によると、寝巻きや部屋着に求められる機能（例えば腹部周りのあたたかさ）を損なうことなく、外出着として着用してもおかしくない外観を実現できる。
【００１２】
好ましくは、
前記腹当て部および前記カバー部が、二枚の布が重なり合うことにより形成されている。
【００１３】
この構成に係る衣服によると、着用者は、重なり合った二枚の布の間にズボンのウエスト部分を入れるように着用する、という簡単な着用動作で、腹当て部がズボンの中に入り、かつ、その部分がカバー部で覆い隠された状態を形成することができる。また、着用時に、着用者の腹部から腰部の少なくとも一部分が三枚の布（腹当て部、ズボン、および、カバー部）で覆われた状態となるので、特にあたたかい。
【００１４】
好ましくは、
前記カバー部の幅寸法が、前記腹当て部の幅寸法よりも大きく、
前記カバー部の上端が、幅方向に沿って布が寄せ縮められた状態となっている。
【００１５】
ここで、「布が寄せ縮められた状態」は、具体的には、例えば、ギャザー、タック、ダーツ、プリーツ、シャーリング、等により形成することができる。
この構成に係る衣服によると、ズボンの中に腹当て部が入っている状態の部分に、カバー部がスカート状にふんわりと覆い被さる格好になる。したがって、好ましい外観（例えば、女性好みのお洒落な外観）を実現できる。
【００１６】
好ましくは、
前記幅方向に沿って布が寄せ縮められた状態の部分が、着用者の身体の背面を覆う部分の左右両側に寄せて配置されている。
【００１７】
ここで、「着用者の身体の背面を覆う部分」とは、具体的には、着用者が仰向けに寝た状態において、下側にくる部分を指す。
例えば、幅方向に沿って布が寄せ縮められた状態の部分が、着用者の背面側の中央にある場合、着用者が就寝するときに背中等に布のごわつきを感じて寝心地が悪くなることがあるが、上記の構成によると、このような事態を回避できる。
【００１８】
好ましくは、
前記カバー部の上端が、着用者のみぞおちよりも下に配置される。
【００１９】
この構成によると、カバー部がスカートらしく見えるので、女性好みのお洒落な外観を実現できる。
特に、カバー部の上端が、着用者のみぞおちよりも十分に下の位置（具体的には例えば、身長が165cmの着用者の場合、みぞおちよりも10cm以上下の位置）に配置されることが好ましい。また、カバー部の上端が、着用者のくびれ部分付近に配置されることも好ましい。これらの各構成によると、特にスカートらしい外観を実現できる。
【００２０】
好ましくは、
前記上衣における、着用者のみぞおちよりも上側を覆う部分に裏地が配設され、前記みぞおちよりも下側を覆う部分であって前記カバー部の上端よりも上側の部分には裏地が配設されない。
【００２１】
この構成によると、着用者のみぞおちよりも上側を覆う部分に裏地が配設されることによって、胸部分が透けにくくなるとともに胸の形も目立ちにくくなるので、特に女性の着用者に安心感を与えることができる。その一方で、みぞおちとカバー部の上端との間の部分には裏地が配設されないので、すっきりとした着用感とスマートな外観とを実現できる。
【００２２】
好ましくは、
前記カバー部の下端が、着用者の脚の付け根の近傍に配置される。
【００２３】
ここで、「着用者の脚の付け根の近傍」とは、具体的には例えば、身長が165cmの着用者の場合、脚の付け根から上に5cm（すなわち、股上5m）の位置と脚の付け根から下に10cm（すなわち、股下10cm）の位置との間の領域を指す。
この構成によると、カバー部がミニスカート風に見えるので、特に若い女性好みのお洒落な外観を実現できる。また、仮に、カバー部が着用者の太もも中央に達するような長めの丈となっていると、着用者が就寝中に寝返りをうつことによってカバー部が身体にまとわりついて寝心地が悪くなる虞があるが、カバー部の下端が着用者の脚の付け根の近傍に配置されるような短めの丈としておけば、このような事態が回避されて、良好な寝心地が確保される。
【００２４】
好ましくは、
前記カバー部に、スリットが形成されている。
【００２５】
この構成に係る衣服によると、着用者の腹回りが比較的大きな場合であっても、カバー部（すなわち、ズボンの中に腹当て部が入っている状態の部分に覆い被さったカバー部）が、不自然に膨れあがることがない。したがって、好ましい外観（例えば、男性好みのスマートな外観）を実現できる。
【００２６】
好ましくは、
前記カバー部の下側に前記腹当て部が連なっており、
前記カバー部の幅寸法が、前記腹当て部の幅寸法よりも大きく、
前記カバー部の下端が、幅方向に沿って布が寄せ縮められた状態となっている。
【００２７】
ここでも、「布が寄せ縮められた状態」は、具体的には、例えば、ギャザー、タック、ダーツ、プリーツ、シャーリング、等により形成することができる。
この構成に係る衣服においては、上衣の腹当て部をズボンの中に入れるとともに、腹当て部の上側に連なる布部分（カバー部）をブラウジングして（すなわち、ズボンの上に、ゆったりしたふくらみをもたせるように被せて）着用することによって、上衣の腹当て部がズボンの中に入り、かつ、その部分がカバー部で覆い隠された状態を形成することができる。この構成に係る衣服によると、カバー部がふんわりとした状態で着用者の腰回りを覆う格好となるので、好ましい外観（例えば、女性好みの女性らしい外観）を実現できる。
【００２８】
好ましくは、
前記ズボンの裾部分に、脚の延在方向に沿って布を寄せ縮めた状態で着用する部分が形成されている。
【００２９】
この構成に係る衣服によると、ズボンの裾部分が布を寄せ縮めた状態（くしゅくしゅとなった状態）で着用されることによって、そのような部分がアクセントとなって、好ましい外観（例えば、女性好みのお洒落な外観）が実現される。また、このような状態の部分が形成されることによって、裾付近の保温性が高まる。
【００３０】
好ましくは、
縫い目が、着用者の身体の正面を覆う部分に配置されている。
【００３１】
ここでも、「着用者の身体の正面を覆う部分」とは、具体的には、着用者が仰向けに寝た状態において、上側にくる部分を指す。
例えば、縫い目が、着用者の背面側（着用者が仰向けに寝た状態において、下側にくる部分）にある場合、着用者が就寝するときに背中等に縫い目の存在を感じて寝心地が悪くなることがあるが、上記の構成によると、このような事態を回避できる。
【００３２】
好ましくは、
前記ズボンの裾口であって、着用者の身体の背面を覆う部分だけに形成されたリブ状の部分、
を備える。
【００３３】
ここで、「着用者の身体の背面を覆う部分」とは、具体的には、着用者が仰向けに寝た状態において、下側にくる部分を指す。
この構成に係る衣服によると、ズボンの裾口にリブ状の部分が形成されることによって、裾口付近の保温性が高まる。特にここでは、当該リブ状の部分が着用者の身体の背面を覆う部分だけに形成されているので、着用者を正面から見たときには、当該リブ状の部分は見えない。一般に、裾口にリブ状の部分が形成されている衣服は、寝巻きや部屋着であるという印象を与えがちであるが、ここでは、裾口のリブ状の部分が正面からは見えないので、そのような印象を与えにくい。
【００３４】
好ましくは、
前記ズボンの裾口および前記上衣の袖口のうちの少なくとも一方に形成されたリブ状の部分と、
前記リブ状の部分に覆い被さる非リブ状の部分と、
を備える。
【００３５】
この構成に係る衣服によると、ズボンの裾口および上衣の袖口のうちの少なくとも一方にリブ状の部分が形成されることによって、裾口付近あるいは袖口付近の保温性が高まる。一方で、当該リブ状の部分は、非リブ状の部分によって覆い隠されるので、外からは見えない。一般に、裾口や袖口にリブ状の部分が形成されている衣服は、寝巻きや部屋着であるという印象を与えがちであるが、ここでは、裾口や袖口のリブ状の部分が外からは見えないので、そのような印象を与えにくい。
【発明の効果】
【００３６】
本発明によると、上衣の腹当て部をズボンの中に入れて着用することができ、さらに、ズボンの中に腹当て部が入っている状態の部分をカバー部で覆い隠すことができる。したがって、寝巻きや部屋着に求められる機能（例えば腹部周りのあたたかさ）を損なうことなく、外出着として着用してもおかしくない外観を実現できる。
【図面の簡単な説明】
【００３７】
【図１】第１実施形態に係る衣服の構成を示す図。
【図２】第２実施形態に係る衣服の構成を示す図。
【図３】第３実施形態に係る衣服の構成を示す図。
【図４】その他の実施形態に係る上衣の構成を示す図。
【図５】その他の実施形態に係る上衣の構成を示す図。
【図６】その他の実施形態に係るズボンの構成を示す図。
【発明を実施するための形態】
【００３８】
以下、本発明を実施するための形態を説明する。
＜１．第１実施形態＞
第１実施形態に係る衣服１００について、図１を参照しながら説明する。図１（ａ）には衣服１００の正面図が、図１（ｂ）には衣服１００の背面図が、図１（ｃ）には衣服１００の着用状態を示す図が、それぞれ示されている。
【００３９】
＜腹当て部１１およびカバー部１２＞
衣服１００は、上衣１とズボン２の組み合わせから成る。上衣１は、着用者の胴体部を覆う身頃部分と着用者の腕を覆う袖部分とを備える。
身頃部分は、着用者の肩から胸（場合によっては、さらに、腹部の上側）を覆う部分（胸当て部）１０と、その下に連なる腹当て部１１およびカバー部１２と、を備える。
【００４０】
腹当て部１１は、着用者の腹部から腰部の少なくとも一部分を覆う部分である。また、カバー部１２は、腹当て部１１に覆い被さる部分である。この実施形態では、腹当て部１１およびカバー部１２は、二枚の布が重なり合うことにより形成されている。
【００４１】
胸当て部１０、腹当て部１１、および、カバー部１２の縫い合わせの態様はどのようなものであってもよい。例えば、胸当て部１０と腹当て部１１とが一枚の連続する布により形成されて、当該布の表側であって胸当て部１０と腹当て部１１との境界部分に、カバー部１２の上端が縫いつけられてもよい。また例えば、胸当て部１０とカバー部１２とが一枚の連続する布により形成されて、当該布の裏側であって、胸当て部１０とカバー部１２との境界部分に、腹当て部１１の上端が縫いつけられてもよい。また例えば、胸当て部１０と腹当て部１１とカバー部１２とがそれぞれ異なる布により形成されて、胸当て部１０の下端に、腹当て部１１の上端とカバー部１２の上端とがそれぞれ縫いつけられてもよい。
【００４２】
胸当て部１０の丈寸法Ｌ１０と腹当て部１１の丈寸法Ｌ１１との比（Ｌ１０／Ｌ１１）の好ましい範囲は、0.5〜3である。例えば男性用Ｍサイズにおいては、胸当て部１０の丈寸法Ｌ１０を44.5cmとし、腹当て部１１の丈寸法Ｌ１１を29.5cmとしてもよい。また例えば男性用ＬＬサイズにおいては、胸当て部１０の丈寸法Ｌ１０を46.5cmとし、腹当て部１１の丈寸法Ｌ１１を33.5cmとしてもよい。
【００４３】
なお、この実施形態においては、カバー部１２の幅寸法を腹当て部１１の幅寸法と同定度とし、カバー部１２の丈寸法Ｌ１２を腹当て部１１の丈寸法Ｌ１１よりも僅かに（例えば、1cm〜10cm（特に好ましくは、7cm）の差をもつように）短く形成することが特に好ましい。もっとも、腹当て部１１の幅寸法をカバー部１２の幅寸法よりも小さく形成してもよい。また、カバー部１２の丈寸法Ｌ１２は、腹当て部１１の丈寸法Ｌ１１と同程度であってもよいし、腹当て部１１の丈寸法Ｌ１１よりも長くてもよい。また、図示されるように、カバー部１２における前身頃側の裾および後ろ身頃側の裾の各々が弧状に形成されることも好ましい。
【００４４】
着用者は、例えば、上衣１の腹当て部１１をズボン２の中に入れるとともに、カバー部１２をズボン２の外に出して（つまり、腹当て部１１とカバー部１２との間にズボン２のウエスト部分を入れて）、衣服１００を着用することができる（図１（ｃ）参照）。
この着用態様によると、上衣１の腹当て部１１がズボン２の中に入っているので、あたたかい（保温性が高い）。また、ズボン２の中に腹当て部１１が入っている状態の部分がカバー部１２で覆い隠されるので、外からは、上衣１の裾をズボン２の外に出して着用しているように見える。これは、外出着の一般的な着用態様であるため、この格好で外出してもおかしくない。
特にここでは、腹当て部１１およびカバー部１２が、二枚の布が重なり合うことにより形成されているので、着用者は、重なり合った二枚の布の間にズボン２のウエスト部分を入れるように着用する、という簡単な着用動作で、腹当て部１１がズボン２の中に入り、かつ、その部分がカバー部１２で覆い隠された状態を形成することができる。また、着用時に、着用者の腹部から腰部の少なくとも一部分が三枚の布（腹当て部１１、ズボン２、および、カバー部１２）で覆われた状態となるので、特にあたたかい。
【００４５】
＜縫い目３１，３２，３３＞
上衣１においては、縫い目３１，３２が、着用者の身体の正面を覆う部分（着用者が仰向けに寝た状態において、上側にくる部分）に配置されている。具体的には、肩の縫い目３１が肩山よりも正面側の部分に配置され、袖の縫い目３２が袖の正面側の部分に配置される。つまり、縫い目３１，３２が、肩の背面側および肩山を避けて、また、袖の背面および袖の内側（着用者が腕を下げた状態において、脇部分と対向する部分）を避けて、配置される。
また、ズボン２においては、縫い目３３が、お尻と脚の付け根との境界に沿うように配置される。つまり、縫い目３３が、お尻の中央部分を避けて配置される。
【００４６】
肩の背面側や肩山、袖の背面側や内側、お尻の中央等に縫い目があると、着用者が就寝するときに背中、肩、腕、脇、お尻等に縫い目の存在を感じて、寝心地が悪くなることがあるが、衣服１００においては、このような事態が回避される。
【００４７】
＜背面リブ部４＞
ズボン２の裾口には、着用者の身体の背面を覆う部分（着用者が仰向けに寝た状態において、下側にくる部分）だけに、リブ状の部分（背面リブ部４）が形成される。
【００４８】
背面リブ部４が形成されることによって、裾口付近の保温性が高まる。特にここでは、背面リブ部４が着用者の身体の背面を覆う部分だけに形成されているので、着用者を正面から見たときには、背面リブ部４は見えない。一般に、裾口にリブ状の部分が形成されている衣服は、寝巻きや部屋着であるという印象を与えがちであるが、ここでは、裾口のリブ状の部分（背面リブ部）４が正面からは見えないので、そのような印象を与えにくい。
【００４９】
＜２．第２実施形態＞
第２実施形態に係る衣服１００ａについて、図２を参照しながら説明する。図２（ａ）には衣服１００ａの正面図が、図２（ｂ）には衣服１００ａの背面図が、図２（ｃ）には衣服１００ａの着用状態を示す図が、それぞれ示されている。
なお、以下の説明においては、先に説明したものと同じ要素については同じ符号で示すとともに、その詳細な説明を省略する。
【００５０】
＜腹当て部１１ａおよびカバー部１２ａ＞
衣服１００ａは、上衣１ａとズボン２ａの組み合わせから成る。上衣１ａは、着用者の胴体部を覆う身頃部分と着用者の腕を覆う袖部分とを備える。
身頃部分は、着用者の肩から胸（場合によっては、さらに、腹部の上側）を覆う部分（胸当て部）１０ａと、その下に連なる腹当て部１１ａおよびカバー部１２ａと、を備える。
【００５１】
腹当て部１１ａは、着用者の腹部から腰部の少なくとも一部分を覆う部分である。また、カバー部１２ａは、腹当て部１１ａに覆い被さる部分である。第１実施形態と同様、この実施形態でも、腹当て部１１ａおよびカバー部１２ａは、二枚の布が重なり合うことにより形成されている。
【００５２】
ここでは、例えば、胸当て部１０ａと腹当て部１１ａとが一枚の連続する布により形成されて、当該布の表側であって胸当て部１０ａと腹当て部１１ａとの境界部分に、カバー部１２ａの上端が縫いつけられる。あるいは、胸当て部１０ａと腹当て部１１ａとカバー部１２ａとがそれぞれ異なる布により形成されて、胸当て部１０ａの下端に、腹当て部１１ａの上端とカバー部１２ａの上端とがそれぞれ縫いつけられてもよい。
【００５３】
カバー部１２ａは、スカート状に形成される。
すなわち、カバー部１２ａの幅寸法は、胸当て部１０ａの幅寸法よりも十分に（例えば、45cm〜60cmの差をもつように）大きく形成される。ただし、カバー部１２ａの形状は、幅寸法が一定のストレート形状であってもよいし、裾に近づくにつれて幅寸法が大きくなる裾広がりの形状であってもよい。
そして、カバー部１２ａは、その上端が、幅方向に沿って布が寄せ縮められた状態で、胸当て部１０ａと腹当て部１１ａとの境界部分に縫いつけられる。ここで、「布が寄せ縮められた状態」は、具体的には、例えば、ギャザー、タック、ダーツ、プリーツ、シャーリング、等により形成することができる。
布が寄せ縮められた状態の部分（寄せ縮め部分）５は、着用者の身体の背面を覆う部分（後ろ身頃）の左右両側に配置される。ここで、「着用者の身体の背面を覆う部分」とは、具体的には、着用者が仰向けに寝た状態において、下側にくる部分を指す。例えば、寄せ縮め部分５が、着用者の背面側の中央にある場合、着用者が就寝するときに背中等に布のごわつきを感じて寝心地が悪くなることがあるが、上記の構成によると、このような事態を回避できる。
【００５４】
胸当て部１０ａの丈寸法と腹当て部１１ａの丈寸法との比の好ましい範囲は、0.5〜3である。例えば女性用Ｍサイズにおいては、胸当て部１０ａの丈寸法を36cmとし、腹当て部１１ａの丈寸法を25cmとしてもよい。
【００５５】
カバー部１２ａは、その上端が着用者のみぞおちよりも下に配置される。特に、カバー部１２aの上端は、着用者のみぞおちよりも十分に下の位置（具体的には例えば、身長が165cmの着用者の場合、みぞおちよりも10cm以上下の位置）に配置されることが好ましい。また、カバー部１２aの上端が、着用者のくびれ部分付近に配置されることも好ましい。
カバー部１２ａの上端が着用者のみぞおちよりも下に配置されることによって、カバー部１２ａがスカートらしく見えるので、女性好みのお洒落な外観を実現できる。
【００５６】
また、カバー部１２ａは、その下端が着用者の脚の付け根の近傍に配置されるような丈寸法とされる。ここで、「着用者の脚の付け根の近傍」とは、具体的には例えば、身長が165cmの着用者の場合、脚の付け根から上に5cm（すなわち、股上5cm）の位置と脚の付け根から下に10cm（すなわち、股下10cm）の位置との間の領域を指す。
カバー部１２ａの下端が着用者の脚の付け根の近傍に配置されるような丈寸法とされることによって、カバー部１２ａがミニスカート風に見えるので、特に若い女性好みのお洒落な外観を実現できる。また、仮に、カバー部が着用者の太もも中央に達するような長めの丈となっていると、着用者が就寝中に寝返りをうつことによってカバー部が身体にまとわりついて寝心地が悪くなる虞があるが、カバー部１２ａの下端が着用者の脚の付け根の近傍に配置されるような短めの丈としておけば、このような事態が回避されて、良好な寝心地が確保される。
【００５７】
なお、この実施形態においては、カバー部１２ａの丈寸法を腹当て部１１ａの丈寸法よりも僅かに（例えば、1cm〜10cm（特に好ましくは、7cm）の差をもつように）長く形成することが特に好ましい。もっとも、カバー部１２ａの丈寸法は、腹当て部１１ａの丈寸法と同程度であってもよいし、腹当て部１１ａの丈寸法よりも短くてもよい。
【００５８】
着用者は、例えば、上衣１ａの腹当て部１１ａをズボン２ａの中に入れるとともに、カバー部１２ａをズボン２ａの外に出して、衣服１００ａを着用することができる（図２（ｃ）参照）。
この着用態様によると、上衣１ａの腹当て部１１ａがズボン２ａの中に入っているので、あたたかい（保温性が高い）。また、ズボン２ａの中に腹当て部１１ａが入っている状態の部分がカバー部１２ａで覆い隠されるので、外からは、上衣１ａの裾をズボン２ａの外に出して着用しているように見える。特に、この衣服１００ａにおいては、ズボン２ａの中に腹当て部１１ａが入っている状態の部分に、カバー部１２ａがスカート状にふんわりと覆い被さる格好になるので、好ましい外観（例えば、女性好みのお洒落な外観）を実現できる。
【００５９】
＜裏地６＞
胸当て部１０ａにおける、着用者の身体の正面を覆う部分（着用者が仰向けに寝た状態において、上側にくる部分）には、裏地６が配設されて二重構造になっている。ただし、裏地６は、胸当て部１０ａにおける着用者の身体の正面を覆う部分だけに配設される（すなわち、背面を覆う部分には裏地６は配設されない。）。また、裏地６は、胸当て部１０ａにおける着用者のみぞおちよりも上側を覆う部分（すなわち、肩山からみぞおちまでを覆う部分）だけに配設され、着用者のみぞおちよりも下側を覆う部分であってカバー部１２ａの上端よりも上側の部分には裏地は配設されない。
【００６０】
この構成によると、上衣１ａの保温性が高まる。また、着用者が女性の場合、胸部分が透けにくくなるとともに胸の形も目立ちにくくなるので、ブラジャー等の下着を着けていない状態でも安心感があり、抵抗なく外出しやすい。また、仮に、胸当て部１０ａにおける、着用者の身体の背面を覆う部分にまで裏地が配設されると、着用者が就寝するときに背中に裏地の存在を感じて寝心地が悪くなることがあるが、裏地６を着用者の身体の正面を覆う部分だけに形成する構成とすれば、寝心地の良さを確保できる。また、着用者のみぞおちとカバー部１２ａの上端との間の部分には裏地が配設されないので、すっきりとした着用感とスマートな外観とを実現できる。
【００６１】
＜たるみ部分７＞
ズボン２ａの裾部分には、脚の延在方向に沿って布を寄せ縮めた状態で着用する部分（たるみ部分）７が形成される。具体的には例えば、ズボン２ａの股下が着用者の脚よりも長い寸法とされてズボン２ａの裾付近に余剰の布部分７が形成される。当該余剰の布部分７の長さ寸法は、例えば10cm〜20cmとすればよい。例えば一般的な女性用のＭサイズの場合、ズボンの股下の寸法は着用者の脚の長さに合うように63cm程度とされるが、このズボン２ａでは、着用者の脚の長さに15cm分の余剰の布部分７を加えて、当該股下の寸法が例えば78cmとされる。また、当該余剰の布部分７は、その幅寸法が着用者の膨ら脛にフィットするような細身の寸法（例えば、膝幅を19cmとし、そこから裾にかけてテーパー状に細くなって、裾幅が12cmとなるような形状）とされる。
【００６２】
この構成において、余剰の布部分７を着用者がくしゅくしゅと縮めるようにして着用することで、布が寄せ縮められた状態のたるみ部分７が形成される（図２（ｃ）参照）。もっとも、たるみ部分７は、縫製段階で、余剰の布部分７に、ギャザー、タック、ダーツ、プリーツ、シャーリング、等が施されることによって形成されてもよい。
【００６３】
ズボン２ａの裾部分にたるみ部分７が形成されると、当該たるみ部分７がアクセントとなって、好ましい外観（例えば、女性好みのお洒落な外観）が実現される。また、たるみ部分７が形成されることによって、裾付近の保温性も高まる。
【００６４】
＜３．第３実施形態＞
第３実施形態に係る衣服１００ｂについて、図３を参照しながら説明する。図３（ａ）には衣服１００ｂの正面図が、図３（ｂ）には衣服１００ｂの背面図が、図３（ｃ）には衣服１００ｂの着用状態を示す図が、それぞれ示されている。
なお、以下の説明においては、先に説明したものと同じ要素については同じ符号で示すとともに、その詳細な説明を省略する。
【００６５】
＜腹当て部１１ｂおよびカバー部１２ｂ＞
衣服１００ｂは、上衣１ｂとズボン２ａの組み合わせから成る。上衣１ｂは、着用者の胴体部を覆う身頃部分と着用者の腕を覆う袖部分とを備える。
身頃部分は、着用者の肩から胸（場合によっては、さらに、腹部の上側）を覆う部分（胸当て部）１０ｂと、その下に連なる腹当て部１１ｂおよびカバー部１２ｂと、を備える。
【００６６】
腹当て部１１ｂは、着用者の腹部から腰部の少なくとも一部分を覆う部分であり、例えば、リブ状に形成されることによって、あるいは、シャーリングが形成されることによって、着用者の身体に緩やかにフィットするような構成となっている。また、カバー部１２ｂは、腹当て部１１ｂに覆い被さる部分であり、腹当て部１１ｂの上側に連なって形成されている。つまり、ここでは、胸当て部１０ｂ、カバー部１２ｂ、および、腹当て部１１ｂが、この順番で一連に連なって形成されている。
【００６７】
胸当て部１０ｂ、腹当て部１１ｂ、および、カバー部１２ｂの縫い合わせの態様はどのようなものであってもよい。例えば、胸当て部１０ｂとカバー部１２ｂとが一枚の連続する布により形成されて、当該布の下端に、腹当て部１１ｂの上端が縫いつけられてもよい。また例えば、胸当て部１０ｂとカバー部１２ｂと腹当て部１１ｂとがそれぞれ異なる布により形成されて、胸当て部１０ｂの下端にカバー部１２ｂの上端が、カバー部１２ｂの下端に腹当て部１１ｂの上端が、それぞれ縫いつけられてもよい。
【００６８】
カバー部１２ｂの幅寸法は、腹当て部１１ｂの幅寸法よりも十分に（例えば、10cm〜25cmの差をもつように）大きく形成されることが好ましく、カバー部１２ｂは、その下端が幅方向に沿って布が寄せ縮められた状態で、腹当て部１１ｂの上端に縫いつられることが好ましい。ここで、「布が寄せ縮められた状態」は、上述したとおり、ギャザー、タック、ダーツ、プリーツ、シャーリング、等により形成することができる。布が寄せ縮められた状態の部分（寄せ縮め部分）８は、カバー部１２ｂの下端の全体に亘って形成されてもよいし、部分的に（例えば、前身頃、後ろ身頃、あるいは、それらの境界付近、のうちの少なくとも一部）に形成されてもよい。図の例では、寄せ縮め部分８は、カバー部１２ｂの下端の全体に亘って形成されている。
【００６９】
胸当て部１０ｂの上端からカバー部１２ｂの下端までの部分（上側部）１３ｂの丈寸法Ｌ１３ｂと腹当て部１１ｂの丈寸法Ｌ１１ｂとの比の好ましい範囲は、1.5〜3.5である。例えば女性用Ｍサイズにおいては、上側部１３ｂの丈寸法Ｌ１３ｂを62cmとし、腹当て部１１ｂの丈寸法Ｌ１１ｂを24cmとしてもよい。
【００７０】
着用者は、例えば、上衣１ｂの腹当て部１１ｂをズボン２ａの中に入れるとともに、腹当て部１１ｂの上側に連なる布部分（カバー部１２ｂ）をブラウジングして（すなわち、ズボン２ａの上に、ゆったりしたふくらみをもたせるように被せて）着用することによって、上衣１ｂの腹当て部１１ｂがズボン２ａの中に入り、かつ、その部分がカバー部１２ｂで覆い隠された状態を形成することができる（図３（ｃ）参照）。
この着用態様によると、上衣１ｂの腹当て部１１ｂがズボン２ａの中に入っているので、あたたかい（保温性が高い）。また、ズボン２ａの中に腹当て部１１ｂが入っている状態の部分がカバー部１２ｂで覆い隠されるので、外からは、上衣１ｂの裾をズボン２ａの外に出して着用しているように見える。特に、この衣服１００ｂにおいては、カバー部１２ｂがふんわりとした状態で着用者の腰回りを覆う格好となるので、好ましい外観（例えば、女性好みの女性らしい外観）を実現できる。
【００７１】
＜５．その他の実施形態＞
＜５−１．スリット＞
第１の実施形態に係る上衣１において、図４に例示されるように、カバー部１２に、その下端縁から切れ込んだスリット９１が形成されてもよい。スリット９１は、例えば、前身頃と後ろ身頃との境界部（左右の境界部）の少なくとも一方に形成すればよい。
【００７２】
スリット９１を形成しておけば、腹囲が比較的大きな人が衣服１００を着用した場合であっても、カバー部１２（すなわち、ズボン２の中に腹当て部１１が入っている状態の部分に覆い被さったカバー部１２）が、不自然に膨れあがることがない。したがって、好ましい外観（例えば、男性好みのスマートな外観）を実現できる。
【００７３】
＜５−２．襟元＞
第１の実施形態に係る上衣１の襟元は、図１に例示されるようにボタン９２が配列されてボタン開きできるようになっていてもよいし、図５に例示されるようにＶ字状の衿９３であってもよい。いずれの態様においても、着用者の首周りにゆったり感を与えることができる。なお、ボタン９２が配列される場合、ボタン開きできる範囲は、胸当て部１０（すなわち、腹当て部１１およびカバー部１２よりも上側の領域内）に限ることが好ましい。前身頃の全体がボタン開きできる衣服は、寝巻きや部屋着であるという印象を与えがちであるが、ボタン開きできる範囲を上記の領域内に限っておけばそのような印象を与えにくい。
【００７４】
＜５−３．リブ部９４および非リブ部９５＞
第１の実施形態に係るズボン２において、図６に例示されるように、裾口に、リブ状の部分（リブ部）９４と、これに覆い被さる非リブ状の部分（非リブ部）９５が形成されてもよい。なお、このようなリブ部９４と非リブ部９５の二重構造は、上衣１の袖口に形成されてもよい。
【００７５】
リブ部９４が形成されることによって、裾口付近（あるいは、袖口付近）の保温性が高まる。その一方で、リブ部９４は、非リブ部９５によって覆い隠されるので、外からは見えない。一般に、裾口や袖口にリブ状の部分が形成されている衣服は、寝巻きや部屋着であるという印象を与えがちであるが、ここでは、裾口（あるいは、袖口）のリブ部９４が外からは見えないので、そのような印象を与えにくい。
【００７６】
なお、ズボン２は、膝下から裾口までの部分（非リブ分９５を含む）が、裾口にいくにつれて広がる形状（所謂、裾広がり形状）とされていてもよい。一般に、このような形状のズボンは、ゆったりとしたお洒落な外観を実現できるという利点がある一方で、裾口付近の保温性が損なわれやすいという難点があるが、ここでは、非リブ部９５の内側にリブ部９４が形成されるので、保温性が損なわれない。つまり、お洒落な外観と保温性とを両立できる。
【００７７】
＜５−４．その他＞
上記の各実施形態において、上衣１，１ａ，１ｂの肩幅や身幅を、着用者の身体に緩やかにフィットするような寸法とする（例えば、第１実施形態に係る上衣１において、身幅を、男性用Ｍサイズで50cm、男性用ＬＬサイズで57cmとし、第２実施形態にかかる衣服１ａにおいて、身幅を、女性用Ｍサイズで43.5cmとし、第３実施形態に係る衣服１ｂにおいて、身幅を、女性用Ｍサイズで48cmとする）ことも好ましい。仮に、上衣の肩幅および身幅を、着用者の身体のサイズよりも大きいものとした場合、着用感がゆったりとするので、一見すると寝心地が良いように思えるが、実際は、このような上衣を着て就寝すると、着用者が寝返りをうつ度に上衣が身体にまとわりついて身体を拘束し、かえって寝心地が悪くなる。上衣１，１ａ，１ｂの肩幅や身幅を、着用者の身体に緩やかにフィットするような寸法としておけば、このような事態が回避されて、良好な寝心地が確保される。また、外出着としての外観の良さも向上する。
【００７８】
第１実施形態あるいは第２実施形態において、腹当て部１１，１１ａは、例えば、リブ状に形成されることによって、あるいは、シャーリングが形成されることによって、着用者の身体に緩やかにフィットするような構成となっていてもよい。
【００７９】
第２実施形態においては、カバー部１２ａの寄せ縮め部分５が、着用者の身体の背面を覆う部分（後ろ身頃）の左右両側に配置されているとしたが、寄せ縮め部分５の配置はこれに限らない。例えば、寄せ縮め部分５は、着用者の身体の正面を覆う部分（前身頃）に配置してもよいし、カバー部１２ａの上端の全体（正面側及び背面側の両方）に亘って形成されてもよい。また、前身頃、後ろ身頃、あるいは、それらの境界付近、のうちの少なくとも一部に形成されてもよい。例えばカバー部１２ａを比較的薄い生地で形成すれば、寄せ縮め部分５を着用者の身体の背面を覆う部分に配置する構成としても、寝心地が悪くなりにくい。
【００８０】
第２実施形態においては、裏地６は、胸当て部１０ａにおける着用者のみぞおちよりも上側を覆う部分だけに配設されるものとしたが、裏地６の配設態様はこれに限らない。例えば、裏地６は、胸当て部１０ａにおける着用者の身体の正面を覆う部分の全体に配設されてもよい。
【００８１】
上記の各実施形態に係る衣服１００，１００ａ，１００ｂの各要素が、適宜に組み合わされてもよい。
【符号の説明】
【００８２】
１００，１００ａ，１００ｂ  衣服
１，１ａ，１ｂ  上衣
１０，１０ａ，１０ｂ  胸当て部
１１，１１ａ，１１ｂ  腹当て部
１２，１２ａ，１２ｂ  カバー部
２，２ａ  ズボン
３１，３２，３３  縫い目
４  背面リブ部
５  カバー部上端の寄せ縮め部分
６  裏地
７  たるみ部分
８  カバー部下端の寄せ縮め部分
９１  スリット
９２  ボタン
９３  Ｖ字状の衿
９４  リブ部
９５  非リブ部
【図１】
2017145534.tif 000003
【図２】
2017145534.tif 000004
【図３】
2017145534.tif 000005
【図４】
2017145534.tif 000006
【図５】
2017145534.tif 000007
【図６】
2017145534.tif 000008